(57)【要約】建築物の全体での交通の効率化を図ることができるエレベータの群管理装置を提供する。エレベータの群管理装置は、登録された乗場行先呼びを認識する呼び登録認識部（５ｂ）と、前記呼び登録認識部（５ｂ）により乗場行先呼びが認識された際に、管理対象の複数のかごの各々に当該乗場行先呼びを割り当てた場合において当該かごが当該乗場行先呼びに対応した行先階に到着するまでにかかる時間を演算する到着時間演算部（５ｃ）と、前記管理対象の複数のかごではない他の移動手段の交通状況を検出する交通状況検出部（５ｄ）と、前記管理対象の複数のかごに対して前記到着時間演算部（５ｃ）により演算された時間が予め設定された時間を超えており、前記交通状況検出部（５ｄ）により検出された他の移動手段の交通状況が混雑していない状況の場合は、前記管理対象の複数のかごに対して当該乗場行先呼びの割り当てを禁止する割当禁止部（５ｆ）と、を備えた。
2016142993.tif 000002
【特許請求の範囲】
【請求項１】
登録された乗場行先呼びを認識する呼び登録認識部と、  前記呼び登録認識部により乗場行先呼びが認識された際に、管理対象の複数のかごの各々に当該乗場行先呼びを割り当てた場合において当該かごが当該乗場行先呼びに対応した行先階に到着するまでにかかる時間を演算する到着時間演算部と、  前記管理対象の複数のかごではない他の移動手段の交通状況を検出する交通状況検出部と、  前記管理対象の複数のかごに対して前記到着時間演算部により演算された時間が予め設定された時間を超えており、前記交通状況検出部により検出された他の移動手段の交通状況が混雑していない状況の場合は、前記管理対象の複数のかごに対して当該乗場行先呼びの割り当てを禁止する割当禁止部と、を備えたエレベータの群管理装置。
【請求項２】
乗場に設けられた識別装置により受信された識別体の情報を識別する識別部、を備え、  前記割当禁止部は、前記識別部により識別された識別体の情報に基づいて当該乗場行先呼びの割り当てを禁止するか否かを判定する請求項１に記載のエレベータの群管理装置。
【請求項３】
前記割当禁止部は、前記交通状況検出部により混雑していないと検出された他の移動手段の種類に基づいて当該乗場行先呼びの割り当てを禁止するか否かを判定する請求項２に記載のエレベータの群管理装置。
【請求項４】
前記乗場行先呼びを割り当てたかごを利用して当該乗場行先呼びに対応した行先階に移動する場合において当該行先階に到着するまでにかかる時間と他の移動手段を利用して当該乗場行先呼びに対応した行先階に移動する場合において当該行先階に到着するまでにかかる時間とを乗場において報知装置に報知させる報知制御部、を備えた請求項３に記載のエレベータの群管理装置。
【請求項５】
前記識別体に設けられた操作部の操作結果に基づいて移動手段を選択する移動手段選択部、を備え、  前記報知制御部は、前記移動手段選択部により選択された移動手段を利用して当該乗場行先呼びに対応した行先階に移動する場合において当該行先階に到着するまでにかかる時間を一時的に前記報知装置に報知させる請求項４に記載のエレベータの群管理装置。
【発明の詳細な説明】
【技術分野】
【０００１】  この発明は、エレベータの群管理装置に関する。
【背景技術】
【０００２】  特許文献１は、エレベータの群管理装置を開示する。当該群管理装置は、エレベータのかごよりも早く行先階に到着すると予想される他の移動手段を利用することを促す。このため、利用者は、より早く行先階に移動することができる。
【先行技術文献】
【特許文献】
【０００３】
【特許文献１】日本特開平８−２１７３４１号公報
【発明の概要】
【発明が解決しようとする課題】
【０００４】  しかしながら、当該群管理装置は、かごが行先階に到着するまでにかかる時間等を考慮していない。このため、建築物の全体での交通が効率的になっているとは限らない。【０００５】  この発明は、上述の課題を解決するためになされた。この発明の目的は、建築物の全体での交通の効率化を図ることができるエレベータの群管理装置を提供することである。
【課題を解決するための手段】
【０００６】  この発明に係るエレベータの群管理装置は、登録された乗場行先呼びを認識する呼び登録認識部と、前記呼び登録認識部により乗場行先呼びが認識された際に、管理対象の複数のかごの各々に当該乗場行先呼びを割り当てた場合において当該かごが当該乗場行先呼びに対応した行先階に到着するまでにかかる時間を演算する到着時間演算部と、前記管理対象の複数のかごではない他の移動手段の交通状況を検出する交通状況検出部と、前記管理対象の複数のかごに対して前記到着時間演算部により演算された時間が予め設定された時間を超えており、前記交通状況検出部により検出された他の移動手段の交通状況が混雑していない状況の場合は、前記管理対象の複数のかごに対して当該乗場行先呼びの割り当てを禁止する割当禁止部と、を備えた。
【発明の効果】
【０００７】  この発明によれば、かごが乗場行先呼びに対応した行先階に到着するまでに時間がかかり、他の移動手段の交通状況が混雑していない状況の場合に、当該乗場行先呼びの割り当てが禁止される。このため、利用者は、混雑していない他の移動手段で行先階に行くことになる。このため、建築物の全体での交通の効率化を図ることができる。
【図面の簡単な説明】
【０００８】
【図１】この発明の実態の形態１におけるエレベータの群管理装置が適用されたエレベータの構成図である。
【図２】この発明の実施の形態１におけるエレベータの群管理装置のハードウェア構成図である。
【図３】この発明の実態の形態１におけるエレベータの群管理装置の動作の一例を説明するためのフローチャートである。
【発明を実施するための形態】
【０００９】  この発明を実施するための形態について添付の図面に従って説明する。なお、各図中、同一又は相当する部分には同一の符号が付される。当該部分の重複説明は適宜に簡略化または省略する。
【００１０】実施の形態１．  図１はこの発明の実態の形態１におけるエレベータの群管理装置が適用されたエレベータの構成図である。
【００１１】  図１において、図示しない昇降路は、図示しない建築物の各階を貫く。図示しない乗場は、建築物の各階に設けられる。各乗場は、昇降路に対向する。少なくとも１台のかご１は、昇降路の内部に設けられる。例えば、２台のかご１は、昇降路の内部に設けられる。各制御装置２は、各かご１に対応して設けられる。例えば、各制御装置２は、昇降路の内部に設けられる。各識別装置３は、各乗場に設けられる。例えば、報知装置４は、図示しない識別体に設けられる。識別体は、操作部等を備える。
【００１２】  群管理装置５は、各制御装置２と各識別装置３とに接続される。群管理装置５は、識別部５ａと呼び登録認識部５ｂと到着時間演算部５ｃと交通状況検出部５ｄと割当かご決定部５ｅと割当禁止部５ｆと移動手段選択部５ｇと報知制御部５ｈとを備える。
【００１３】  図示しない他の昇降路は、建築物の各階を貫く。図示しない他の乗場は、建築物の各階に設けられる。他の乗場の各々は、他の昇降路に対向する。図示しない少なくとも一つの他のかごは、他の昇降路の内部に設けられる。図示しない他の制御装置の各々は、他のかごの各々に対応して設けられる。例えば、他の制御装置の各々は、他の昇降路の内部に設けられる。図示しない他の識別装置の各々は、他の乗場の各々に設けられる。
【００１４】  図示しない他の群管理装置は、他の制御装置の各々と他の識別装置の各々とに接続される。他の群管理装置は、図示しない他の識別部と図示しない他の呼び登録認識部と図示しない他の到着時間演算部と図示しない他の交通状況検出部と図示しない他の割当かご決定部と図示しない他の割当禁止部と図示しない他の移動手段選択部と図示しない他の報知制御部とを備える。
【００１５】  複数の他の移動手段は、建築物に設けられる。例えば、図示しない階段は、建築物の隣接階につながる。例えば、図示しないエスカレータは、建築物の隣接階につながる。
【００１６】  通信装置６は、群管理装置５等に接続される。通信装置６は、建築物に設けられた全ての移動手段の交通状況に関する情報を受信する。
【００１７】  利用者が識別体を携帯して乗場の識別装置３に近づくと、識別装置３は、識別体の情報を受信する。識別装置３は、識別体の情報を群管理装置５に送信する。
【００１８】  群管理装置５において、識別部５ａは、識別装置３により受信された識別体の情報を識別する。呼び登録認識部５ｂは、識別部５ａにより認識された識別体の情報に基づいて乗場行先呼びの登録を認識する。
【００１９】  到着時間演算部５ｃは、第１演算部と第２演算部とを備える。第１演算部は、管理対象の複数のかご１の各々を利用して各階の間を移動した際にかかる時間を演算する。例えば、第１演算部は、複数のかご１の各々を利用して当該乗場のある階から当該乗場行先呼びに対応した行先階に到着するまでにかかる時間を演算する。例えば、第２演算部は、通信装置６からの情報に基づいて管理対象の複数のかご１ではない他の移動手段を利用して各階の間を移動した際にかかる時間を演算する。
【００２０】  交通状況検出部５ｄは、到着時間演算部５ｃの演算結果と通信装置６からの情報とに基づいて管理対象の複数のかご１ではない他の移動手段を利用して各階の間を移動した際にかかる時間と他の移動手段の交通状況とを検出する。
【００２１】  複数のかご１のいずれかに対して到着時間演算部５ｃにより演算された時間が予め設定された時間を超えていない場合、割当かご決定部５ｅは、当該かご１に対して識別部５ａにより認識された乗場行先呼びを割り当てる。この際、割当かご決定部５ｅは、予め設定された条件に基づいて最適なかご１を選択する。
【００２２】  交通状況検出部５ｄにより検出された他の移動手段の交通状況が混雑している状況の場合、割当かご決定部５ｅは、複数のかご１のいずれかに対して識別部５ａにより認識された乗場行先呼びを割り当てる。この際、割当かご決定部５ｅは、予め設定された条件に基づいて最適なかご１を選択する。
【００２３】  当該乗場行先呼びを割り当てるかご１が決定した場合、割当かご決定部５ｅは、当該かご１に対応した制御装置２に当該乗場行先呼びの情報を送信する。制御装置２は、当該乗場行先呼びの情報に基づいて当該乗場行先呼びが登録された階にかご１を移動させる。その後、利用者は、かご１に乗る。その後、制御装置２は、当該乗場行先呼びに対応した行先階にかご１を移動させる。その後、利用者は、かご１から降りる。
【００２４】  管理対象の複数のかご１の全てに対して到着時間演算部５ｃにより演算された時間が予め設定された時間を超えており、交通状況検出部５ｄにより検出された他の移動手段の交通状況が混雑していない状況の場合もある。この場合、割当禁止部５ｆは、識別体の情報に基づいて当該乗場行先呼びの割り当てを禁止するか否かを判定する。
【００２５】  割当禁止部５ｆが複数のかご１の全てに対して当該乗場行先呼びの割り当てを禁止する場合、報知制御部５ｈは、かご１が利用できない旨を報知装置４に報知させる。例えば、報知制御部５ｈは、かご１が利用できない旨を報知装置４に表示により報知させる。例えば、報知制御部５ｈは、かご１が利用できない旨を報知装置４に音声により報知させる。
【００２６】  次に、図２を用いて、群管理装置５の一例を説明する。  図２はこの発明の実施の形態１におけるエレベータの群管理装置のハードウェア構成図である。
【００２７】  図２に示すように、群管理装置５は、処理回路７を備える。処理回路７は、プロセッサ７ａとメモリ７ｂとを備える。図１の群管理装置５の各部の動作は、少なくとも一つのプロセッサ７ａが少なくとも一つのメモリ７ｂに記憶されたプログラムを実行することにより実現される。
【００２８】  次に、図３を用いて、建築物における交通の分散を説明する。  図３はこの発明の実態の形態１におけるエレベータの群管理装置の動作の一例を説明するためのフローチャートである。
【００２９】  ステップＳ１では、割当禁止部５ｆは、複数のかご１の各々に対して到着時間演算部５ｃにより演算された時間が予め設定された時間を超えているか否かを判定する。例えば、この際の基準となる時間は、時間帯に応じて設定される。例えば、換算時において、当該時間は、複数のかご１の各々が周回する際の時間間隔の平均値に基づいて設定される。例えば、当該時間は、エレベータの管理者により手動で設定される。
【００３０】  ステップＳ１で複数のかご１の各々に対して到着時間演算部５ｃにより演算された時間が予め設定された時間を超えていない場合は、動作が終了する。
【００３１】  ステップＳ１で複数のかご１の各々に対して到着時間演算部５ｃにより演算された時間が予め設定された時間を超えている場合は、ステップＳ２に進む。ステップＳ２では、割当禁止部５ｆは、利用者の他の移動手段への誘導を極力少なくすることを目的として予め設定された条件に基づいて複数のかご１において利用頻度が少ない区間を検出する。
【００３２】  例えば、他の移動手段が管理対象でない他のかごであり、識別体の情報が車椅子利用者に対応した情報の場合、割当禁止部５ｆは、利用頻度が少ない区間を検出する。例えば、他の移動手段がエスカレータまたは階段しかなく、識別体の情報が車椅子利用者に対応した情報の場合、割当禁止部５ｆは、利用頻度が少ない区間を検出しない。例えば、識別体の情報が身障者に対応した情報の場合、割当禁止部５ｆは、利用頻度が少ない区間を検出しない。
【００３３】  この際、割当禁止部５ｆは、他の移動手段による利用者の負担を考慮して移動時間が許容時間を越えない区間を選択する。例えば、許容時間は、識別体の情報に基づいて設定される。
【００３４】  その後、ステップＳ３に進む。ステップＳ３では、到着時間演算部５ｃは、他の移動手段を利用して当該区間の移動した際にかかる時間を演算する。到着時間演算部５ｃは、他の移動手段を利用して当該区間の移動した際にかかる時間が予め設定された時間を越えているか否かを判定する。
【００３５】  その後、ステップＳ４に進む。ステップＳ４では、交通状況検出部５ｄは、到着時間演算部５ｃの判定結果に基づいて他の移動手段が混雑するか否かを判定する。
【００３６】  ステップＳ４で他の移動手段が混雑する場合は、動作が終了する。
【００３７】  ステップＳ４で他の移動手段が混雑しない場合は、ステップＳ５に進む。ステップＳ５では、割当禁止部５ｆは、複数のかご１の全てに対して当該乗場行先呼びの割り当てを禁止する。報知制御部５ｈは、かご１を利用できない旨を報知装置４に報知させる。
【００３８】  その後、ステップＳ６に進む。割当禁止部５ｆは、複数のかご１の各々に対して到着時間演算部５ｃにより演算された時間が予め設定された時間を超えているか否かを判定する。
【００３９】  ステップＳ６で複数のかご１の各々に対して到着時間演算部５ｃにより演算された時間が予め設定された時間を超えていない場合は、動作が終了する。
【００４０】  ステップＳ６で複数のかご１の各々に対して到着時間演算部５ｃにより演算された時間が予め設定された時間を超えている場合は、ステップＳ２からの動作が繰り返される。
【００４１】  以上で説明した実施の形態１によれば、かご１が乗場行先呼びに対応した行先階に到着するまでに時間がかかり、他の移動手段の交通状況が混雑していない状況の場合に、当該乗場行先呼びの割り当てが禁止される。この場合、利用者は、混雑していない他の移動手段で行先階に行くことになる。このため、建築物の全体での交通の効率化を図ることができる。
【００４２】  また、乗場行先呼びの割り当てを禁止するか否かは、識別体の情報に基づいて判定される。このため、利用者の属性に応じて、適切な移動手段を提供することができる。
【００４３】  また、乗場行先呼びの割り当てを禁止するか否かは、他の移動手段の種類に基づいて判定される。このため、利用者の属性に応じて、適切な移動手段を提供することができる。
【００４４】  なお、複数の移動手段の各々を利用して乗場行先呼びに対応した行先階に移動する場合において当該行先階に到着するまでにかかる時間を報知装置４に報知させてもよい。この場合、利用者に対して移動手段を選択する際の情報を与えることができる。
【００４５】  また、識別体の操作部の操作結果に基づいて移動手段選択部５ｇにより移動手段を選択してもよい。この際、移動手段選択部５ｇにより選択された移動手段を利用して当該乗場行先呼びに対応した行先階に移動する場合において当該行先階に到着するまでにかかる時間を一時的に報知装置４に報知させればよい。この場合、利用者に対して移動手段を選択する際の有力な情報を与えることができる。
【００４６】  また、乗場に設けられた乗場操作盤の操作により、乗場行先呼びを登録してもよい。この場合も、建築物の全体での交通の効率化を図ることができる。
【産業上の利用可能性】
【００４７】  以上のように、この発明に係るエレベータの群管理装置は、建築物の全体での交通の効率化を図るシステムに利用できる。
【符号の説明】
【００４８】  １  かご、  ２  制御装置、  ３  識別装置、  ４  報知装置、  ５  群管理装置、  ５ａ  識別部、  ５ｂ  呼び登録認識部、  ５ｃ  到着時間演算部、  ５ｄ  交通状況検出部、  ５ｅ  割当かご決定部、  ５ｆ  割当禁止部、  ５ｇ  移動手段選択部、  ５ｈ  報知制御部、  ６  通信装置、  ７  処理回路、  ７ａ  プロセッサ、  ７ｂ  メモリ
【図１】
2016142993.tif 000003
【図２】
2016142993.tif 000004
【図３】
2016142993.tif 000005
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
登録された乗場行先呼びを認識する呼び登録認識部と、
前記呼び登録認識部により乗場行先呼びが認識された際に、管理対象の複数のかごの各々に当該乗場行先呼びを割り当てた場合において当該かごが当該乗場行先呼びに対応した行先階に到着するまでにかかる時間を演算する到着時間演算部と、
前記管理対象の複数のかごではない他のかごの交通状況を検出する交通状況検出部と、
前記管理対象の複数のかごに対して前記到着時間演算部により演算された時間が予め設定された時間を超えており、前記交通状況検出部により検出された他のかごの交通状況が混雑していない状況の場合は、前記管理対象の複数のかごに対して当該乗場行先呼びの割り当てを禁止する割当禁止部と、
を備えたエレベータの群管理装置。
【請求項２】
乗場に設けられた識別装置により受信された識別体の情報を識別する識別部、
を備え、
前記割当禁止部は、前記識別部により識別された識別体の情報に基づいて当該乗場行先呼びの割り当てを禁止するか否かを判定する請求項１に記載のエレベータの群管理装置。
【請求項３】
前記乗場行先呼びを割り当てたかごを利用して当該乗場行先呼びに対応した行先階に移動する場合において当該行先階に到着するまでにかかる時間と前記管理対象の当該かごではない他のかごを利用して当該乗場行先呼びに対応した行先階に移動する場合において当該行先階に到着するまでにかかる時間とを乗場において報知装置に報知させる報知制御部、
を備えた請求項２に記載のエレベータの群管理装置。
【請求項４】
前記識別体に設けられた操作部の操作結果に基づいてかごを選択する移動手段選択部、
を備え、
前記報知制御部は、前記移動手段選択部により選択されたかごを利用して当該乗場行先呼びに対応した行先階に移動する場合において当該行先階に到着するまでにかかる時間を一時的に前記報知装置に報知させる請求項３に記載のエレベータの群管理装置。
【手続補正２】
【補正対象書類名】明細書
【補正対象項目名】０００６
【補正方法】変更
【補正の内容】
【０００６】
この発明に係るエレベータの群管理装置は、登録された乗場行先呼びを認識する呼び登録認識部と、前記呼び登録認識部により乗場行先呼びが認識された際に、管理対象の複数のかごの各々に当該乗場行先呼びを割り当てた場合において当該かごが当該乗場行先呼びに対応した行先階に到着するまでにかかる時間を演算する到着時間演算部と、前記管理対象の複数のかごではない他のかごの交通状況を検出する交通状況検出部と、前記管理対象の複数のかごに対して前記到着時間演算部により演算された時間が予め設定された時間を超えており、前記交通状況検出部により検出された他のかごの交通状況が混雑していない状況の場合は、前記管理対象の複数のかごに対して当該乗場行先呼びの割り当てを禁止する割当禁止部と、を備えた。
【国際調査報告】
2016142993.tif 000006
2016142993.tif 000007
2016142993.tif 000008
2016142993.tif 000009